(57)【要約】【課題】  大容量の容器であっても、片手で把持したときに安定性がよく、持ち上げやすく、内容物を注ぎやすい容器を提供する。【解決手段】  容器胴部の、少なくとも対向する両面に、溝状の把持部６を設けるとともに、この把持部６の底部側に、薬指用収納凹部７ａと小指用収納凹部７ｂを所定の間隔をあけて形成したプラスチックボトル容器である。【選択図】      図２
2005112383.tif 000002
【特許請求の範囲】
【請求項１】
容器胴部の少なくとも一面に、縦方向ほぼ中央より底部側に薬指及び／又は小指の収納凹部を形成したことを特徴とする容器。
【請求項２】
前記容器胴部が、少なくとも一組の対向する面に把持部を設けた容器であって、
前記薬指及び／又は小指の収納凹部を、前記把持部より底部側に設けた請求項１記載の容器。
【請求項３】
前記薬指の収納凹部の縦断面形状が、口部側斜面と垂直面と底部側斜面からなる台形状及び／又は弧状であって、前記凹部の三面に接する接円又は弧の半径Ｒ１が８〜２２ｍｍである請求項１又は２記載の容器。
【請求項４】
前記小指の収納凹部の縦断面形状が、口部側斜面と垂直面と底部側斜面からなる台形状及び／又は弧状であって、前記凹部の三面に接する接円又は弧の半径Ｒ２が８〜２０ｍｍである請求項１又は２記載の容器。
【請求項５】
前記薬指の収納凹部の最深部ｄ１及び／又は小指の収納凹部の最深部ｄ２が、２〜８ｍｍである請求項１〜４のいずれかに記載の容器。
【請求項６】
前記薬指の収納凹部の縦方向幅ｄ３及び／又は小指の収納凹部の縦方向幅ｄ４が、１０〜２０ｍｍである請求項１〜５のいずれかに記載の容器。
【請求項７】
薬指用又は小指用の収納凹部を、開口部形状が楕円形で、凹部縦断面形状が弧状となるように形成した請求項１〜６のいずれかに記載の容器。
【請求項８】
開口部形状が楕円形で、凹部縦断面形状が弧状の前記収納凹部の中央部周方向に横ビートを形成した請求項７に記載の容器。
【請求項９】
前記把持部が、口部側斜面と垂直面及び底部側斜面をからなる溝状である請求項２〜８のいずれかに記載の容器。
【請求項１０】
前記薬指又は小指の収納凹部における接円又は弧の中心が、前記把持部の口部側斜面と垂直面及び底部側斜面の三面に接する接円の中心から底部側へ（距離Ｌ１）１５〜５０ｍｍ離間している請求項９に記載の容器。
【請求項１１】
前記薬指の収納凹部における接円又は弧の中心が、前記把持部の口部側斜面と垂直面及び底部側斜面の三面に接する接円の中心から底部側に（距離Ｌ１）１５〜５０ｍｍ離間し、さらに、前記小指の収納凹部における接円又は弧の中心が、前記薬指の収納凹部における接円又は弧の中心から底部側に（距離Ｌ２）１５〜４０ｍｍ離間している請求項９のいずれかに記載の容器。
【請求項１２】
前記把持部が、前記把持部の周方向中央の第一溝と、この第一溝の周方向両側に、該第一溝より浅い第二溝とを有し、
前記第一溝の縦方向の幅Ｗ１と第二溝の縦方向の幅Ｗ２がそれぞれ７〜１５ｍｍである請求項２〜１０のいずれかに記載の容器。
【請求項１３】
前記容器が横断面長方角ボトルであって、その短辺の長さが６０〜１１０ｍｍである請求項１〜１３のいずれかに記載の容器。
【請求項１４】
前記容器が横断面正方角ボトルであって、その一辺の長さが６０〜１１０ｍｍである請求項１〜１３のいずれかに記載の容器。
【請求項１５】
前記第一溝の少なくとも前記垂直面に、縦方向の凸状リブを形成した請求項１２〜１４のいずれかに記載の容器。
【発明の詳細な説明】
【技術分野】
【０００１】
本発明は、容器に関し、特に、容量の大きいプラスチックボトル容器の把持性を改善した容器に関する。
【背景技術】
【０００２】
プラスチックボトル容器は、成形が容易で大量生産に適しており、また、機械的強度が高く軽量であるなど、優れた特性を有していることから、各種の液体を充填する容器として広い分野で利用されている。
最近では、特に、各種飲料やミネラルウォーター等の飲料用容器として大量に使用されている。
【０００３】
ボトル容器の容量については、市場の要求に合わせて多くの種類が存在している。たとえば、容量の大きいものとしては２リットル程度の容器が使用されている。プラスチックボトル容器の形状については、従来から、冷蔵庫収納性及び持ちやすさを考慮し、横断面形状が長方形のものが採用されている。そして、搬送強度（縦圧縮強度）を付与するため、容器の長手方向の略中央部全周にウエスト部（把持部）が形成されている。
【０００４】
ところで、大容量のボトル容器に液体を充填した場合、その液体の重さにより、容器はかなりの重量となる。そのため、たとえば、内容物である液体を注ぐときなど、ボトル容器を持ち上げる際には、相当強い力でボトル容器を把持する必要がある。このように、把持する力が強くなると、容器が変形し、ボトル容器を把持した手とボトル容器の間で滑りを生じることがあるため、ボトル容器を持ち上げにくいことがあった。また、ボトル容器の胴囲も大きいことから、片手での把持が困難になるという問題があった。
【０００５】
この問題に対して、ボトル容器の胴部にウエスト部を設け、片手でボトル容器を把持したとき、その凹部に指を引っ掛かけることによってボトル容器の把持性を改善した容器が提案されている（たとえば、特許文献１，２参照。）。
【０００６】
このようなボトル容器では、親指と中指を、ウエスト部に沿わせて容器を把持する。そして、ウエスト部を中心に、容器を回転させて、容器口部の位置を相対的に低くすることによって、容器の内容物を容器外部に注出する。
このとき、ボトル容器の支持は、主に、親指と中指によって行われているが、人差し指をウエスト上部側の胴面に添えることにより、また、薬指と小指をウエスト下部側の胴面に添えることによっても容器を支えている。
【０００７】
耐熱ボトル及びアセプティック充填用ボトルにおいては、剛性の向上、及び膨らみ防止を図るのため、ボトル胴面に形成されたウエスト部の上下部に、横ビートを設けたものがある。しかし、ウエスト上部側の胴面はラベル部となるため、表示面の平滑性を保つ必要から、胴面に極端な凹凸を設けることはできなかった。したがって、人差し指によってボトルをしっかりと支持することはできず、人差し指は容器を支持するための補助的な支えとなる。
【０００８】
一方、ボトル胴面のウエストの下部側は、上部側のように凹凸を設けることについて上記のような制約はない。また、既存の横ビートでは、ビートの幅、深さ、間隔などが、薬指及び小指の太さあるいは間隔などと一致しないため薬指又は小指の収納凹部としては機能していなかった。したがって、従来の容器においては、薬指又は小指によって容器の支持を向上させるための工夫については、一切考慮されていなかった。
【特許文献１】特開平８−２３０８５６号公報
【特許文献２】特開平８−３１０５２１号公報
【発明の開示】
【発明が解決しようとする課題】
【０００９】
本発明は上記課題に鑑み、大容量の容器であっても、片手で把持したときに滑りを生じることなく持ち上げることができ、安定感をもって内容物を注ぐことのできる容器の提供を目的とする。
【課題を解決するための手段】
【００１０】
この課題を解決するため、本発明者らは、鋭意研究した結果、容器胴面の中央部より底部側に薬指及び／又は小指を添えることのできる窪みを形成することにより、内容物を注ぐため容器を傾けたときに、容器をより強固に把持できることを見出し、本発明を完成させた。
【００１１】
すなわち、本発明の容器は、容器胴部の少なくとも一面に、縦方向ほぼ中央より底部側に薬指及び／又は小指の収納凹部を形成した構成としてある。
このように、親指及び中指以外の、第三の指を添えることができる収納凹部を、容器に形成することによって、容量の大きい容器であっても、片手で強固に把持することが可能となる。したがって、非力な人であっても、安心して内容物を注ぐことができる。
【００１２】
また、本発明の容器は、前記容器胴部が、少なくとも対向する両面に把持部を設けた容器であって、前記薬指及び／又は小指の収納凹部を、前記把持部より底部側に設けた構成としてある。
このように、把持部とともに薬指及び／又は小指の収納凹部を形成することによって、容器を片手で、より強固に把持することが可能となる。
【００１３】
上記の容器において、薬指の収納凹部の縦断面形状が、口部側斜面と垂直面と底部側斜面からなる台形状及び／又は弧状であって、前記凹部の三面に接する接円又は弧の半径Ｒ１が８〜２２ｍｍであることが好ましい。
また、小指の収納凹部の縦断面形状も、口部側斜面と垂直面と底部側斜面からなる台形状及び／又は弧状であって、前記凹部の三面に接する接円又は弧の半径Ｒ２が８〜２０ｍｍであることが好ましい。
また、前記薬指の収納凹部の最深部ｄ１及び／又は小指の収納凹部の最深部ｄ２が、２〜８ｍｍであることが好ましく、さらには、前記薬指の収納凹部の縦方向幅ｄ３及び／又は小指の収納凹部の縦方向幅ｄ４が、１０〜２０ｍｍであることが好ましい。
薬指及び／又は小指を収納する凹部の大きさをこのように規定すると、各指が凹部に適度にフィットすることから、容器を把持したときの安定性がさらに向上する。
【００１４】
また、薬指用又は小指用の収納凹部を、開口部形状が楕円形で、凹部縦断面形状が弧状となるように形成し、さらには、開口部形状が楕円形で、凹部縦断面形状が弧状の前記収納凹部の中央部周方向に横ビートを形成した構成としてある。
この場合、横ビートの最深部が、収納凹部の最深部よりも深くなるように形成しても、逆に、横ビートの最深部が、収納凹部７の最深部よりも浅くなるように形成してもよい。いずれの場合も、上記のように、収納凹部の最深部が２〜８ｍｍとなるようにする。
また、収納凹部の開口部形状が楕円形のときは、短軸が上記収納凹部の縦方向と同じように１０〜２０ｍｍとなるようにすることが好ましい。
【００１５】
本発明は、前記把持部が、口部側斜面と垂直面及び底部側斜面をからなる溝状の容器としてある。
また、本発明は、前記薬指又は小指の収納凹部における接円又は弧の中心が、前記把持部の口部側斜面と垂直面及び底部側斜面の三面に接する接円の中心から底部側へ（距離Ｌ１）１５〜５０ｍｍ離間する構成としてある。
また、本発明は、前記薬指の収納凹部における接円又は弧の中心が、前記把持部の口部側斜面と垂直面及び底部側斜面の三面に接する接円の中心から底部側に（距離Ｌ１）１５〜５０ｍｍ離間し、さらに、前記小指の収納凹部における接円又は弧の中心が、前記薬指の収納凹部における接円又は弧の中心から底部側に（距離Ｌ２）１５〜４０ｍｍ離間する構成としてある。
このように、親指及び中指が添えられる把持部から、薬指及び／又は小指の収納凹部までの距離を規定することによって、容器を把持したときの、各指の間隔が適度に保たれるので、容器を把持したときの安定性をさらに向上させることができる。
【００１６】
また、本発明は、前記把持部が、前記把持部の周方向中央の第一溝と、この第一溝の周方向両側に、該第一溝より浅い第二溝とを有し、前記第一溝の縦方向の幅Ｗ１と第二溝の縦方向の幅Ｗ２が、それぞれ７〜１５ｍｍとなる構成としてある。
このように、異なる深さの溝を有する把持部を形成することによって、指を添えたときのフィット感を向上させることができる。また、第一溝と第二溝の高さ方向の幅を上記の値とすることによって、把持部と親指及び中指のサイズが適合するので、容器の把持性をより向上させることができる。
【００１７】
本発明は、前記容器が横断面長方角ボトルであって、その短辺が６０〜１１０ｍｍの容器、あるいは、前記容器が横断面正方角ボトルであって、その一辺が６０〜１１０ｍｍの容器としてある。
本発明の容器は、特に、容量が大きく、片手で把持できる大きさの容器に適している。
【００１８】
本発明は、前記第一溝の少なくとも前記垂直面に、縦方向の凸状リブを形成した構成としてある。
このようにすると、容器を持ち上げ、その内容物を注ぐために容器を傾けたときに、このリブに指が引っ掛かるので、容器の周方向における指の滑り発生を防止することができる。
【発明の効果】
【００１９】
本発明によれば、大容量の容器であっても、片手で容器を持ったときに、薬指又は小指によって安定性よく把持することができる。
【発明を実施するための最良の形態】
【００２０】
以下、本発明の容器の一例として、プラスチックボトル容器に適用した実施形態について説明する。
［第一実施形態］
図１は、第一実施形態のプラスチックボトル容器の概略図であり、（ａ）は正面図、（ｂ）は要部断面拡大側面図である。
プラスチックボトル容器１０は、周方向断面形状が四角形状であるボトル容器であり、口部２、肩部３、胴部４及び底部５を有している。ボトル容器１０の胴部４は、二組の互いに対向する胴面４１ａ、４１ｂにより形成されている。
この胴部４の縦方向ほぼ中央の全周上には、把持部６が設けてある。
なお、本実施形態においては、容器１０の剛性及び把持性を向上させるため、容器１０の胴回り全周に把持部６が形成されているが、把持部６は、これに限られず、少なくとも対向する一組の両面に形成されていればよい。
【００２１】
把持部６は、ボトル容器１０の口部２側に傾斜する斜面６１、胴面４（４１ａ）とほぼ平行に形成される垂直面６２、及びボトル容器１０の底部５側に傾斜する斜面６３からなる溝状に形成されている。
この把持部６の底部側の胴面４１ａに、薬指又は小指用の収納凹部７が把持部６と平行に形成されている。この収納凹部７も、把持部６と同様に、ボトル容器１０の口部側斜面７１、垂直面７２、及び底部側斜面７３からなる凹部縦断面台形状の谷溝状に形成されている。この谷溝状の収納凹部７の開口部形状は、ボトル容器の周方向に延びるほぼ長方形に形成してある。
薬指又は小指用の収納凹部７の容器底部側には、容器１０の剛性向上及び膨らみ防止のため、横ビート４３が形成されている。
【００２２】
本実施形態において、薬指又は小指用の収納凹部７を設けることによって、容量が大きく、重量の重い容器であっても、親指、中指及び薬指あるいは小指の３本の指によって、容器１０を片手で強固に把持することができる。
なお、薬指又は小指用の収納凹部７は、少なくとも、胴面４１ａのいずれか一方に形成してあればよい。
【００２３】
収納凹部７の口部側斜面７１と垂直面７２及び底部側斜面７３の三つの面に接する接円の半径Ｒ１は８〜２２ｍｍであることが好ましく、特に、小指を収納する場合には半径Ｒ１は８〜２０ｍｍであることが好ましい。接円の半径Ｒ１をこの範囲にすると、薬指又は小指が収納凹部７に適度にフィットする。接円の半径Ｒ１が８ｍｍ未満の場合、口部側斜面７１及び底部側斜面７３に指が圧迫され、痛みを感じるおそれがあり、また、指腹先が溝の中の十分な深さまで達しないため、把持性が低下するおそれがある。半径Ｒ１が２２ｍｍを超える場合、溝が大きすぎ、注出時に指の支持部がずれるため、不安定となるおそれがある。
【００２４】
収納凹部７において、接円の中心部と、把持部６の口部側斜面６１と垂直面６２及び底部側斜面６３の三つの面に接する接円の中心部までの距離Ｌ１は、１５ｍｍ〜５０ｍｍであることが好ましく、２０ｍｍ〜３０ｍｍであることが特に好ましい。距離Ｌ１が、１５ｍｍ未満の場合、中指と薬指との間隔が狭いため、持ちにくく、５０ｍｍを超える場合、中指と薬指の間を大きく広げなければならないため、持ちにくくなる。
【００２５】
収納凹部７の最深部の深さｄ１は、２ｍｍ〜８ｍｍであることが好ましく、３ｍｍ〜５ｍｍであることが特に好ましい。深さｄ１が２mm未満の場合、指の腹が収納凹部７に、十分に掛からないため、指先だけの把持となってしまい、把持したときの安定性が悪くなるおそれがある。８ｍｍを超える場合は、容器成形時に口部側傾斜面付近の肉厚が厚くなるため、その分、逆に底部側傾斜面の肉厚が薄くなりすぎるおそれがある。
また、収納凹部７の縦方向幅ｄ３は１０〜２０ｍｍであることが好ましく、１２〜１６ｍｍであることが特に好ましい。
【００２６】
図２は、第一実施形態の変形例で、薬指用の収納凹部と小指用の収納凹部を並設したプラスチックボトル容器の概略図であり、（ａ）は正面図、（ｂ）は要部断面拡大側面図である。
なお、図１に示す実施形態と共通する部分の説明は省略する。
【００２７】
このプラスチックボトル容器１０には、図１に示す収納凹部７と同様の薬指用収納凹部７ａと小指用の収納凹部７ｂを並設してある。すなわち、薬指用の収納凹部７ａを把持部６の容器底部側に形成し、さらに、小指用の収納凹部７ｂを、薬指用の収納凹部７ａの容器底部側に形成してある。そして、それらの形状は、ボトル容器１０の口部側斜面７１ａ，７１ｂ、垂直面７２ａ，７２ｂ、及び底部側斜面７３ａ，７３ｂからなる凹部断面台形状の谷溝状となっている。
【００２８】
このように、薬指及び小指の収納凹部を、それぞれ別個に設けることにより、容器１０を支持する際、これら二本の指を有効に活用できる。したがって、容器１０を把持したときの安定性をより向上させることができる。
本実施形態の場合、薬指用収納凹部７ａの接円の半径Ｒ１は８〜２２ｍｍであることが好ましく、１０〜１５ｍｍであることが特に好ましい。同様に、小指用収納凹部７ｂの口部側斜面７１ｂと垂直面７２ｂ及び底部側斜面７３ｂの三つの面に接する接円の半径Ｒ２も、８〜２０ｍｍであることが好ましく、８〜１３ｍｍであることが特に好ましい。この範囲にすることにより、小指が収納凹部７ｂに適度にフィットする。
また、収納凹部７ａ及び７ｂの最深部の深さｄ１及びｄ２は、いずれも２ｍｍ〜８ｍｍであることが好ましく、３ｍｍ〜５ｍｍであることが特に好ましい。さらに、縦方向幅ｄ３，ｄ４は１０〜２０ｍｍであることが好ましく、１２〜１６ｍｍであることが特に好ましい。
【００２９】
ボトル容器１０において、把持部６の接円の中心部から、薬指用収納凹部７ａの接円の中心部までの距離Ｌ１は、１５ｍｍ〜５０ｍｍであることが好ましく、２０ｍｍ〜４０ｍｍであることが特に好ましい。
また、薬指用収納凹部７ａの接円の中心部から、小指用収納凹部７ｂの接円の中心部までの距離Ｌ２は、１５ｍｍ〜４０ｍｍであることが好ましく、１５ｍｍ〜３０ｍｍであることが特に好ましい。薬指用収納凹部７ａの接円の中心部から小指用収納凹部７ｂの接円の中心部までの距離Ｌ２が、１５ｍｍ未満の場合は、薬指と小指の間隔が狭くなりすぎるため容器が持ちにくくなり、４０ｍｍを超える場合は、薬指と小指の間を大きく広げなければならないため、持ちにくくなる。
さらに、把持部６の接円の中心部から、小指用収納凹部７ｂの接円の中心部までの距離Ｌ３は、３０ｍｍ〜７０ｍｍであることが好ましく、４０ｍｍ〜６０ｍｍであることが特に好ましい。
【００３０】
［第二実施形態］
図３は、第二実施形態のプラスチックボトル容器の概略図であり、（ａ）は正面図、（ｂ）は要部断面拡大側面図である。
なお、第一実施形態と共通する部分の説明は省略する。
第二実施形態のものは、薬指用又は小指用の収納凹部７を凹部断面弧状の谷溝状に形成してある。この収納凹部７の開口部形状も、ボトル容器の周方向に延びるほぼ長方形に形成してある。
また、この場合の弧の半径Ｒ１は、第一実施形態における接円の半径Ｒ１と同じ範囲の寸法としてある。さらに、半径Ｒ１の弧を形成する円の中心部と、把持部６の口部側斜面６１と垂直面６２及び底部側斜面６３の三つの面に接する接円の中心部までの距離Ｌ１、及び、収納凹部７の最深部の深さｄ１もそれぞれ第一実施形態のものと同じ範囲の寸法としてある。
【００３１】
図４は、第二実施形態の変形例で、薬指用の収納凹部と小指用の収納凹部を並設したプラスチックボトル容器の概略図であり、（ａ）は正面図、（ｂ）は要部断面拡大側面図である。
このプラスチックボトル容器１０には、図３に示す収納凹部７と同様の薬指用収納凹部７ａと小指用の収納凹部７ｂを並設してある。
この場合も、把持部６の接円の中心部から、薬指用収納凹部７ａの接円の中心部までの距離Ｌ１は１５ｍｍ〜５０ｍｍ、特に２０ｍｍ〜４０ｍｍであることが好ましく、薬指用収納凹部７ａの接円の中心部から、小指用収納凹部７ｂの接円の中心部までの距離Ｌ２は１５ｍｍ〜４０ｍｍ、特に１５ｍｍ〜３０ｍｍであることが特に好ましく、把持部６の接円の中心部から、小指用収納凹部７ｂの接円の中心部までの距離Ｌ３は３０ｍｍ〜７０ｍｍ、特に４０ｍｍ〜６０ｍｍであることが特に好ましい。
また、収納凹部７ａ及び７ｂの最深部の深さｄ１及びｄ２は、いずれも２ｍｍ〜８ｍｍであることが好ましく、３ｍｍ〜５ｍｍであることが特に好ましい。さらに、縦方向幅ｄ３，ｄ４は１０〜２０ｍｍであることが好ましく、１２〜１６ｍｍであることが特に好ましい。
【００３２】
［第三実施形態］
図５は、第三実施形態のプラスチックボトル容器の概略図であり、（ａ）は正面図、（ｂ）は要部断面拡大側面図である。
なお、上述した第一又は第二実施形態と共通する部分の説明は省略する。
第三実施形態のものは、薬指用又は小指用の収納凹部７を凹部断面弧状の谷溝状に形成し、かつ、この収納凹部７の開口部形状を楕円形に形成したものである。
このボトル容器の場合は、収納凹部開口部の楕円形短軸部分における弧の半径Ｒ１を、第一実施形態における接円の半径Ｒ１と同じ範囲の寸法としてある。さらに、半径Ｒ１の弧を形成する円の中心部と、把持部６の口部側斜面６１と垂直面６２及び底部側斜面６３の三つの面に接する接円の中心部までの距離Ｌ１、及び、収納凹部７の最深部の深さｄ１もそれぞれ第一実施形態のものと同じ範囲の寸法としてある。
なお、図５に示すボトル容器においては、収納凹部７の容器底部側に横ビート４３が二本形成されている。このように横ビート４３を多く形成してあるのは、収納凹部７（７ａ，７ｂ）の開口部形状を楕円形にした場合、容器１０の剛性向上及び膨らみ防止の点で第一あるいは第二実施形態のものに比べ、やや劣るためである。
ここで、横ビートの本数と配置位置は、任意に決定することができ、例えば、三本以上の横ビートを形成すること、あるいは、収納凹部の間に横ビートを形成するなどすることもできる。
【００３３】
図６は、第三実施形態の変形例で、薬指用の収納凹部と小指用の収納凹部を並設したプラスチックボトル容器の概略図であり、（ａ）は正面図、（ｂ）は要部断面拡大側面図である。
このプラスチックボトル容器１０には、図５に示す収納凹部７と同じ形状の薬指用収納凹部７ａと小指用の収納凹部７ｂを並設してある。
この場合も、把持部６の接円の中心部から薬指用収納凹部７ａの接円の中心部までの距離Ｌ１、薬指用収納凹部７ａの接円の中心部から小指用収納凹部７ｂの接円の中心部までの距離Ｌ２、把持部６の接円の中心部から小指用収納凹部７ｂの接円の中心部までの距離Ｌ３、収納凹部７ａ及び７ｂの最深部の深さｄ１及びｄ２、縦方向幅ｄ３，ｄ４は、いずれも上記実施形態のものと同じ範囲となっている。
【００３４】
［第四実施形態］
図７は、第四実施形態のプラスチックボトル容器の概略図であり、（ａ）は正面図、（ｂ）は要部断面拡大側面図である。
なお、上記各実施形態と共通する部分の説明は省略する。
第四実施形態のものは、第三実施形態のものと横ビートを組み合わせた形態としてある。すなわち、薬指用又は小指用の収納凹部７を、第三実施形態における開口部形状が楕円形で凹部断面弧状の谷溝状とするとともに、この溝の中央部周方向に横ビート４４が縦断する形状としてある。そして、横ビート４４は、第一実施形態における収納凹部と縦方向の幅を同じとし、かつその最深部が、収納凹部７の最深部よりも深くなるように形成してある。
このように、横ビートの方が深くなるように形成すると、容器の剛性向上、膨らみ防止の点で、効果が高くなる。
【００３５】
図８は、第四実施形態の変形例で、薬指用の収納凹部と小指用の収納凹部を並設したプラスチックボトル容器の概略図であり、（ａ）は正面図、（ｂ）は要部断面拡大側面図である。
このプラスチックボトル容器１０には、図７に示す収納凹部７と同様の薬指用収納凹部７ａと小指用の収納凹部７ｂを並設してある。ただし、この実施形態においては、小指用の収納凹部７ｂにおける谷溝状の開口部楕円形が、収納凹部７ａの開口部楕円形より大きくなっている。
このようにすると、薬指より短い小指を、収納範囲にとどかせやすくなる。
この場合も、把持部６の接円の中心部から薬指用収納凹部７ａの接円の中心部までの距離Ｌ１、薬指用収納凹部７ａの接円の中心部から小指用収納凹部７ｂの接円の中心部までの距離Ｌ２、把持部６の接円の中心部から小指用収納凹部７ｂの接円の中心部までの距離Ｌ３、収納凹部７ａ及び７ｂの最深部の深さｄ１及びｄ２、縦方向幅ｄ３，ｄ４は、いずれも上記実施形態のものと同じ範囲となっている。
【００３６】
図９は、第四実施形態の変形例である。すなわち、このボトル容器１０は、小指用収納凹部７ｂが、開口部楕円形の二つの谷溝（凹部）を有する形態としてある。
このように形成すると、さらに小指がとどきやすくなり、指の納まりをよくすることができるので、容器１０を把持したときの安定感を向上させることができる。この谷溝（凹部）７ｂは、薬指用の収納凹部７ａの谷溝（凹部）と同じ形状となっている。
なお、本実施形態では、小指用の収納凹部７ｂにのみ複数の凹部を形成しているが、これに限られず、薬指用の収納凹部７ａに複数の凹部を形成してもよい。
【００３７】
［第五実施形態］
図１０は、第五実施形態のプラスチックボトル容器の概略図であり、（ａ）は正面図、（ｂ）は要部断面拡大側面図である。
なお、上記各実施形態と共通する部分の説明は省略する。
第五実施形態のものは、開口部形状が楕円形で凹部断面弧状の谷溝状とするとともに、この溝の中央部周方向に横ビート４３が縦断する形状としてあるが、横ビート４３の縦方向幅が通常の横ビートと同じで、最深部が、第四実施形態の場合と異なり、収納凹部７の最深部よりも浅くなるように形成してある。
このように形成すると、指の納まりがよくなり、安定性よく把持することができる。
【００３８】
図１１は、第五実施例の変形例で、薬指用の収納凹部と小指用の収納凹部を並設したプラスチックボトル容器の概略図であり、（ａ）は正面図、（ｂ）は要部断面拡大側面図である。
このプラスチックボトル容器１０には、図１０に示す収納凹部７と同様の薬指用収納凹部７ａと小指用の収納凹部７ｂを並設してある。
【００３９】
［第六実施形態］
図１２は、第四実施形態のプラスチックボトル容器の正面概略図である。
本実施形態は、図１２に示すように、把持部６の周方向に第一溝６４と第二溝６６を設けた構成としてある。
すなわち、深い溝である第一溝６４を設け、その周方向両側に、傾斜壁６５を介して第一溝６４より浅い第二溝６６を形成してある。このように、深く窪んだ第一溝６４と、これよりも浅い第二溝６６を形成することによって、把持部６に段差ができ、指を添えたときのフィット感を向上することができる。この場合、傾斜壁６５を介在させることにより、より一層フィット感を向上させることができる。
【００４０】
この場合、第一溝の高さ方向の幅（Ｗ１：図示せず）と、第二溝の高さ方向の幅（Ｗ２：図示せず）、すなわち、垂直面６２の容器高さ方向の幅は７〜１５ｍｍであることが好ましい。この幅が７ｍｍ未満の場合、口部側斜面６１及び底部側斜面６３に指が圧迫され、痛みを感じるおそれがあり、また、指先が溝の中の十分な深さまで達しないため、把持性が低下するおそれがある。一方、幅が２２ｍｍを超える場合、幅が広すぎ、注出時に指の支持部がずれるため、容器の把持が不安定となるおそれがある。
【００４１】
また、第一溝６４の垂直面６２に、縦方向の凸状リブを複数形成してある。凸状リブを設けることによって、容器１０を持ち上げ、その内容物を注ぐために容器１０を傾けたときに、このリブに指が引っ掛かるので、容器の周方向における指の滑り発生を防止することができる。
なお、この実施形態は、第一〜第三及び第五実施形態の容器にも、もちろん適用することができる。
【００４２】
［第七実施形態］
図１３は、第七実施形態のプラスチックボトル容器の正面概略図である。
本実施形態は、図１３に示すように、胴部４に把持部６を有しないプラスチックボトル容器に第四実施形態の薬指用収納凹部７ａ及び小指用収納凹部７ｂを形成したものである。この場合、容器の把持を確実に行わせるため薬指用収納凹部７ａ及び小指用収納凹部７ｂの両方を形成することが好ましいが、第一〜第五実施形態の容器にも、もちろん適用することができる。
【００４３】
プラスチックボトル容器を形成する胴面４１のうち、幅の短い胴面の幅の長さ（短辺）は、６０〜１１０ｍｍであることが好ましく、特に、７０〜９０ｍｍであることが好ましい。
また、容器１０が横断面正方角ボトルである場合、胴面の幅（一辺）は、６０〜１１０ｍｍであることが好ましい。一辺が、６０ｍｍ未満の場合、容器１０の胴回りが大きくなく、把持部を設けなくとも十分に持ちやすいため、本発明の効果は実感できない。一辺が１１０ｍｍを超える場合、容器１０の胴回りが大きくなりすぎ、片手で把持できなくなる。
すなわち、本発明の容器は、容量の大きいボトル（容積が１リットルから３リットル）の把持性の改善に、特に適している。
【００４４】
上述した第一〜七実施形態のプラスチックボトル容器は、通常のボトル容器の成形手段により成形することができる。たとえば、プリフォームを延伸ブロー成形することにより得ることができる。
【００４５】
ボトル容器を形成するプラスチック材料は、たとえば、ポリエチレンテレフタレート，ポリブチレンテレフタレート，ポリエチレンナフタレート，ポリカーボネート，ポリアリレート、又はこれらの共重合体等の熱可塑性ポリエステル、これらの樹脂あるいは他の樹脂とのブレンド物が好適であり、特に、ポリエチレンテレフタレート等のエチレンテレフタレート系熱可塑性ポリエステルが好適に使用される。
また、アクリロニトリル樹脂，ポリプロピレン，プロピレン−エチレン共重合体，ポリエチレン等も使用することができる。
【００４６】
なお、本発明は上記の実施形態に限定されるものではなく、たとえば、容器の形状をカップ状の形状にすることも可能であり、また、容器はプラスチック製のものに限られず、アルミニウム等の金属材料、紙を主成分とする材料又はガラス等の材料からなる容器にも適用することができる。
【産業上の利用可能性】
【００４７】
本発明によれば、大容量の容器であっても、片手で把持したときに安定性がよく、持ち上げやすく、内容物を注ぎやすい容器を提供することができる。
【図面の簡単な説明】
【００４８】
【図１】第一実施形態のプラスチックボトル容器の概略図であり、（ａ）は正面図、（ｂ）は要部断面拡大側面図である。
【図２】第一実施形態のプラスチックボトル容器の変形例概略図であり、（ａ）は正面図、（ｂ）は要部断面拡大側面図である。
【図３】第二実施形態のプラスチックボトル容器の概略図であり、（ａ）は正面図、（ｂ）は要部断面拡大側面図である。
【図４】第二実施形態のプラスチックボトル容器の変形例概略図であり、（ａ）は正面図、（ｂ）は要部断面拡大側面図である。
【図５】第三実施形態のプラスチックボトル容器の概略図であり、（ａ）は正面図、（ｂ）は要部断面拡大側面図である。
【図６】第三実施形態のプラスチックボトル容器の変形例概略図であり、（ａ）は正面図、（ｂ）は要部断面拡大側面図である。
【図７】第四実施形態のプラスチックボトル容器の概略図であり、（ａ）は正面図、（ｂ）は要部断面拡大側面図である。
【図８】第四実施形態のプラスチックボトル容器の変形例概略図であり、（ａ）は正面図、（ｂ）は要部断面拡大側面図である。
【図９】第四実施形態のプラスチックボトル容器の更に他の変形例の概略正面図である。
【図１０】第五実施形態のプラスチックボトル容器の概略図であり、（ａ）は正面図、（ｂ）は要部断面拡大側面図である。
【図１１】第五実施形態のプラスチックボトル容器の変形例概略図であり、（ａ）は正面図、（ｂ）は要部断面拡大側面図である。
【図１２】第六実施形態のプラスチックボトル容器の概略正面図である。
【図１３】第七実施形態のプラスチックボトル容器の概略正面図である。
【符号の説明】
【００４９】
１０  プラスチックボトル容器
２  口部
３  肩部
４  胴部
４３，４４横ビート
５  底部
６  把持部
７  薬指（又は小指）の収納凹部
７ａ  薬指の収納凹部
７ｂ  小指の収納凹部
【図１】
2005112383.tif 000003
【図２】
2005112383.tif 000004
【図３】
2005112383.tif 000005
【図４】
2005112383.tif 000006
【図５】
2005112383.tif 000007
【図６】
2005112383.tif 000008
【図７】
2005112383.tif 000009
【図８】
2005112383.tif 000010
【図９】
2005112383.tif 000011
【図１０】
2005112383.tif 000012
【図１１】
2005112383.tif 000013
【図１２】
2005112383.tif 000014
【図１３】
2005112383.tif 000015